(57)【特許請求の範囲】
【請求項１】
信号の入力部、出力部、分岐出力部を有する分岐回路と、下り信号を入力する入力端子と、下り信号を出力するテレビ端子としての第１出力端子及び通信端子としての第２出力端子とを有し、前記入力端子から入力される下り信号を前記入力部に入力し、前記出力部から出力される信号を前記第１の出力端子に出力し、前記分岐出力部から出力される信号を前記第２出力端子に出力する分岐装置であって、
前記出力部を下り信号を通過させると共に下り信号より低い周波数である上り雑音の侵入を阻止するための第１ハイパスフィルタを介して前記第１出力端子に接続すると共に、前記分岐出力部を前記下り信号を通過させる第２ハイパスフィルタを介して前記第２出力端子に接続し、更に前記出力部と前記第２出力端子とを、前記下り信号の通過を阻止して下り信号より周波数の低い上り信号を通過させるローパスフィルタを介して連結して成ることを特徴とする分岐装置。
【請求項２】
信号の入力部、出力部、分岐出力部を有する分岐回路と、下り信号を入力する入力端子と、下り信号を出力するテレビ端子としての第１出力端子及び通信端子としての第２出力端子とを有し、前記入力端子から入力される下り信号を前記入力部に入力し、前記出力部から出力される信号を前記第１の出力端子に出力し、前記分岐出力部から出力される信号を前記第２出力端子に出力すると共に、前記入力端子に避雷手段を設け、前記入力端子から入力される下り信号を前記第１及び第２出力端子から出力する保安器であって、
前記分岐回路の出力部を下り信号を通過させると共に下り信号より低い周波数である上り雑音の侵入を阻止するための第１ハイパスフィルタを介して前記第１出力端子に接続すると共に、前記分岐出力部を前記下り信号を通過させる第２ハイパスフィルタを介して前記第２出力端子に接続し、更に前記分岐回路の出力部と前記第２出力端子とを、前記下り信号の通過を阻止して下り信号より周波数の低い上り信号を通過させるローパスフィルタを介して連結して成ることを特徴とする保安器。
【請求項３】
信号の入力部、出力部、分岐出力部を有する分岐回路と、下り信号を入力する入力端子と、下り信号を出力するテレビ端子としての第１出力端子及び通信端子としての第２出力端子とを有し、前記入力端子から入力される下り信号を前記入力部に入力し、前記出力部から出力される信号を前記第１の出力端子に出力し、前記分岐出力部から出力される信号を前記第２出力端子に出力する分岐装置であって、
前記分岐回路の前記出力部を下り信号を通過させると共に下り信号より低い周波数である上り雑音の侵入を阻止するための第１ハイパスフィルタを介して前記第１出力端子に接続すると共に、前記分岐出力部を前記下り信号を通過させる第２ハイパスフィルタを介して前記第２出力端子に接続し、更に前記分岐回路の出力部と前記第２出力端子とを、前記下り信号の通過を阻止して下り信号より周波数の低い上り信号を通過させる第１ローパスフィルタ、トランス、前記下り信号の通過を阻止して下り信号より周波数の低い上り信号を通過させる第２ローパスフィルタの順に直列接続した回路を介して連結してなることを特徴とする分岐装置。
【請求項４】
信号の入力部、出力部、分岐出力部を有する分岐回路と、下り信号を入力する入力端子と、下り信号を出力するテレビ端子としての第１出力端子及び通信端子としての第２出力端子とを有し、前記入力端子から入力される下り信号を前記入力部に入力し、前記出力部から出力される信号を前記第１の出力端子に出力し、前記分岐出力部から出力される信号を前記第２出力端子に出力すると共に、前記入力端子に避雷手段を設けた保安器であって、
前記分岐回路の前記出力部を下り信号を通過させると共に下り信号より低い周波数である上り雑音の侵入を阻止するための第１ハイパスフィルタを介して前記第１出力端子に接続すると共に、前記分岐出力部を前記下り信号を通過させる前記第２ハイパスフィルタを介して前記第２出力端子に接続し、更に前記分岐回路の出力部と前記第２出力端子とを前記下り信号の通過を阻止して下り信号より周波数の低い上り信号を通過させる第１ローパスフィルタ、トランス、前記下り信号の通過を阻止して下り信号より周波数の低い上り信号を通過させる第２ローパスフィルタの順に直列接続した回路を介して連結してなることを特徴とする保安器。
【請求項５】
上り信号を減衰させる信号減衰器を、前記分岐回路の出力部と前記第２出力端子の間であって、前記ローパスフィルタに対して直列且つ前記第２ハイパスフィルタに並列に設けた請求項１記載の分岐装置。
【請求項６】
上り信号を減衰させる信号減衰器を、前記分岐回路の出力部と前記第２出力端子の間であって、前記ローパスフィルタに対して直列且つ前記第２ハイパスフィルタに並列に設けた請求項２記載の保安器。
【請求項７】
上り信号を減衰させる信号減衰器を、前記分岐回路の出力部と前記第２出力端子の間であって、前記第１ローパスフィルタ、前記トランス、前記第２ローパスフィルタに対して直列且つ前記第２ハイパスフィルタに対して並列に設けた請求項３記載の分岐装置。
【請求項８】
上り信号を減衰させる信号減衰器を、前記分岐回路の出力部と前記第２出力端子の間であって、前記第１ローパスフィルタ、前記トランス、前記第２ローパスフィルタに対して直列且つ前記第２ハイパスフィルタに対して並列に設けた請求項４記載の保安器。
【発明の詳細な説明】
【０００１】
【発明の属する技術分野】
本発明は、双方向ＣＡＴＶシステムに使用する分岐装置，保安器に関し、特に流合雑音を削減する機能を有する分岐装置，保安器に関する。
【０００２】
【従来の技術】
双方向ＣＡＴＶシステムでは、各加入者宅に設置されている電子機器等で発生する様々な雑音電波、或いは無線波などがＣＡＴＶシステムに侵入し、上り回線の幹線で累積してＣＡＴＶセンターで大きな雑音となり、システムに悪影響を及ぼす流合雑音が問題となっている。これは、ＣＡＴＶ信号である下り信号周波数は、通常７０ＭＨｚ〜７７０ＭＨｚが使用されているのに対し、上り信号周波数はその場合１０ＭＨｚ〜５５ＭＨｚが通常使用され、上記加入者宅で発生する雑音もまた１０ＭＨｚ〜３０ＭＨｚであり、上り信号周波数帯と重なるため、これが上り信号に混入し、ＣＡＴＶセンターに流れ込むことによる。
【０００３】
そのため、加入者宅にてテレビ受像機等を接続する受信専用の端末端子（以下テレビ用端子と称する）と、双方向通信を可能とする通信用端子を分けるために設けられる分配器，分岐装置、或いは加入者宅にＣＡＴＶ信号線を引き込む際に介在させる保安器等にテレビ端子から上り雑音が幹線へ侵入するのを阻止するハイパスフィルタ等の遮断手段を設けて全体の上り雑音を削減する工夫が成されている。そのような従来の機器に特開平１１−９８４８６号公報に示される分岐装置や、特開平１０−２４２７８７号公報に示される保安器の技術が知られている。
また、分岐装置や保安器の出力側に接続された同軸ケーブルの外部導体に誘起した雑音を除去することを目的にトランスを装着した構成のものもあった。
【０００４】
特開平１１−９８４８６号公報に開示されている分岐装置は図１１に示すように、入力端子２１から入力したＣＡＴＶ幹線からの信号を分岐回路２２により分岐して、その出力端子２２ｂをハイパスフィルタ２５を介在させてテレビ端子２３に接続し、分岐端子２２ｃを通信端子２４として、ハイパスフィルタ２５により、テレビ端子２３からの上り雑音の侵入を阻止するようにしている。
【０００５】
また特開平１０−２４２７８７号公報に開示されている保安器は図１２に示すように、入力端子３１と基準電位点との間に避雷回路３９を設け、入力端子３１と分岐回路３４の入力端子３４ａの間に第１ハイパスフィルタ３３を介在させ、分岐回路３４の出力端子３４ｂとテレビ端子３５を接続してある。また、入力端子３１と通信端子３７の間にローパスフィルタ３６を介在させ、分岐回路３４の分岐端子３４ｃに第２ハイパスフィルタ３８を介して通信端子３７に接続した構成が示され、テレビ端子３５に侵入する雑音が上り伝送路に侵入するを阻止する構成が示されている。
【０００６】
また、トランスを用いた分岐装置は図１３に示すような回路構成であり、入力端子４１から入力したＣＡＴＶ幹線からの信号を分岐回路４２により分岐して、その出力端子４２ｂをハイパスフィルタ４５を介してテレビ端子４３に接続し、分岐端子４２ｃをトランス４６を介して通信端子４４に接続している。こうして、ハイパスフィルタ２５によりテレビ端子４３からの上り雑音の侵入を阻止すると共に、トランス４６により通信端子に接続された同軸ケーブルの外部導体に誘起した雑音を除去するようにしている。
【０００７】
【発明が解決しようとする課題】
しかし、上記特開平１１−９８４８６号公報の構成は、通信端子２４が分岐器２２の分岐出力に接続されているため、上り信号の減衰量が大きくなり好ましいものではなかったし、特開平１０−２４２７８７号公報の構成の場合、上り信号帯域での雑音減衰量である阻止帯域減衰量を変更して大きくしようとすると、第１，第２の２つのハイパスフィルタ３３，３８の双方の阻止帯域減衰量を大きくする必要があり、双方のフィルタの段数を増加させなければならずコスト高であったし、大型化してしまう。
また、トランスを介在させたものは、同軸ケーブルの外部導体に誘起した雑音を削減できるが、トランス自体の損失のためにトランスを使用しない場合に比べて上り信号帯域だけでなく全帯域で１〜２ｄＢの損失増加が発生していた。
【０００８】
そこで、本発明は上記問題点に鑑み、上り信号の損失が小さく、また上り帯域の雑音減衰量を変更するに際して少ない部品交換で済み、コスト高にならない分岐装置或いは保安器を提供することを課題とする。
【０００９】
上記課題を解決する為に、請求項１の発明は、信号の入力部、出力部、分岐出力部を有する分岐回路と、下り信号を入力する入力端子と、下り信号を出力するテレビ端子としての第１出力端子及び通信端子としての第２出力端子とを有し、前記入力端子から入力される下り信号を前記入力部に入力し、前記出力部から出力される信号を前記第１の出力端子に出力し、前記分岐出力部から出力される信号を前記第２出力端子に出力する分岐装置であって、前記出力部を下り信号を通過させると共に下り信号より低い周波数である上り雑音の侵入を阻止するための第１ハイパスフィルタを介して前記第１出力端子に接続すると共に、前記分岐出力部を前記下り信号を通過させる第２ハイパスフィルタを介して前記第２出力端子に接続し、更に前記出力部と前記第２出力端子とを、前記下り信号の通過を阻止して下り信号より周波数の低い上り信号を通過させるローパスフィルタを介して連結して成ることを特徴とする。
【００１０】
請求項２の発明は、信号の入力部、出力部、分岐出力部を有する分岐回路と、下り信号を入力する入力端子と、下り信号を出力するテレビ端子としての第１出力端子及び通信端子としての第２出力端子とを有し、前記入力端子から入力される下り信号を前記入力部に入力し、前記出力部から出力される信号を前記第１の出力端子に出力し、前記分岐出力部から出力される信号を前記第２出力端子に出力すると共に、前記入力端子に避雷手段を設け、前記入力端子から入力される下り信号を前記第１及び第２出力端子から出力する保安器であって、前記分岐回路の出力部を下り信号を通過させると共に下り信号より低い周波数である上り雑音の侵入を阻止するための第１ハイパスフィルタを介して前記第１出力端子に接続すると共に、前記分岐出力部を前記下り信号を通過させる第２ハイパスフィルタを介して前記第２出力端子に接続し、更に前記分岐回路の出力部と前記第２出力端子とを、前記下り信号の通過を阻止して下り信号より周波数の低い上り信号を通過させるローパスフィルタを介して連結して成ることを特徴とする。
【００１１】
請求項３の発明は、信号の入力部、出力部、分岐出力部を有する分岐回路と、下り信号を入力する入力端子と、下り信号を出力するテレビ端子としての第１出力端子及び通信端子としての第２出力端子とを有し、前記入力端子から入力される下り信号を前記入力部に入力し、前記出力部から出力される信号を前記第１の出力端子に出力し、前記分岐出力から出力される信号を前記第２出力端子に出力する分岐装置であって、前記分岐回路の前記出力部を下り信号を通過させると共に下り信号より低い周波数である上り雑音の侵入を阻止するための第１ハイパスフィルタを介して前記第１出力端子に接続すると共に、前記分岐出力部を前記下り信号を通過させる第２ハイパスフィルタを介して前記第２出力端子に接続し、更に前記分岐回路の出力部と前記第２出力端子とを、前記下り信号の通過を阻止して下り信号より周波数の低い上り信号を通過させる第１ローパスフィルタ、トランス、前記下り信号の通過を阻止して下り信号より周波数の低い上り信号を通過させる第２ローパスフィルタの順に直列接続した回路を介して連結してなることを特徴とする。
【００１２】
請求項４の発明は、信号の入力部、出力部、分岐出力部を有する分岐回路と、下り信号を入力する入力端子と、下り信号を出力するテレビ端子としての第１出力端子及び通信端子としての第２出力端子とを有し、前記入力端子から入力される下り信号を前記入力部に入力し、前記出力部から出力される信号を前記第１の出力端子に出力し、前記分岐出力部から出力される信号を前記第２出力端子に出力すると共に、前記入力端子に避雷手段を設けた保安器であって、前記分岐回路の前記出力部を下り信号を通過させると共に下り信号より低い周波数である上り雑音の侵入を阻止するための第１ハイパスフィルタを介して前記第１出力端子に接続すると共に、前記分岐出力部を前記下り信号を通過させる前記第２ハイパスフィルタを介して前記第２出力端子に接続し、更に前記分岐回路の出力部と前記第２出力端子とを前記下り信号の通過を阻止して下り信号より周波数の低い上り信号を通過させる第１ローパスフィルタ、トランス、前記下り信号の通過を阻止して下り信号より周波数の低い上り信号を通過させる第２ローパスフィルタの順に直列接続した回路を介して連結してなることを特徴とする。
【００１３】
請求項５の発明は、請求項１の分岐装置において、上り信号を減衰させる信号減衰器を、前記分岐回路の出力部と前記第２出力端子の間であって、前記ローパスフィルタに対して直列且つ前記第２ハイパスフィルタに並列に設けたことを特徴とする。
また、請求項６の発明は、請求項２の発明において、上り信号を減衰させる信号減衰器を、前記分岐回路の出力部と前記第２出力端子の間であって、前記ローパスフィルタに対して直列且つ前記第２ハイパスフィルタに並列に設けたことを特徴とする。
【００１４】
請求項７の発明は、請求項３の発明において、上り信号を減衰させる信号減衰器を、前記分岐回路の出力部と前記第２出力端子の間であって、前記第１ローパスフィルタ、前記トランス、前記第２ローパスフィルタに対して直列且つ前記第２ハイパスフィルタに対して並列に設けたことを特徴とし、請求項８の発明は、請求項４の発明において、上り信号を減衰させる信号減衰器を、前記分岐回路の出力部と前記第２出力端子の間であって、前記第１ローパスフィルタ、前記トランス、前記第２ローパスフィルタに対して直列且つ前記第２ハイパスフィルタに対して並列に設けたことを特徴とする。
【００１５】
【発明の実施の形態】
以下、本発明を具体化した実施の形態を、図面に基づいて詳細に説明する。図１は本発明に係る分岐装置の一例を示す回路ブロック図であり、テレビ信号を始めとする下り信号を入力し、通信信号等の上り信号を出力する１個の入力端子１と、下り信号を出力してテレビ受像機やビデオ等の受信機器を接続する第１出力端子であるテレビ端子２、及び情報機器或いは通信機器等を接続して双方向通信が可能な第２出力端子である通信端子３の２個の出力端子を有している。
【００１６】
入力端子１とテレビ端子２とは分岐回路４及び第１ハイパスフィルタ５を介して接続され、分岐回路４は、その入力部４ａを入力端子１に、出力部４ｂを第１ハイパスフィルタ５の一方に接続し、他方をテレビ端子２に接続している。そして、分岐回路４の分岐出力部４ｃを第２ハイパスフィルタ６を介して通信端子３に接続すると共に、分岐回路４の出力部４ｂをローパスフィルタ７を介して通信端子に接続している。
【００１７】
図２は、図１の回路の各部位間の通過損失および阻止特性の説明図であり、（ａ）はＡ−Ｂ間即ち第１ハイパスフィルタの特性、（ｂ）はＣ−Ｄ間即ち第２ハイパスフィルタの特性、（ｃ）はＥ−Ｆ間即ちローパスフィルタの特性、（ｄ）は入力端子−テレビ端子間の特性、（ｅ）は入力端子−通信端子間の特性を示している。
【００１８】
図示するように、第１ハイパスフィルタ５は、７０ＭＨ以上である下り信号を良好に通過させると共に５５ＭＨ以下の上り雑音を減衰させ、テレビ端子２からの雑音の侵入を阻止する。また、通信端子３から入来する上り信号はローパスフィルタ７を減衰することなく通過し、損失は分岐回路４の挿入損失だけであるので、損失が少なく雑音に強い信号をセンターへ伝送できる。
そして、第１ハイパスフィルタ５は分岐回路４とテレビ端子２の間に設けられ、第２ハイパスフィルタ６よりもテレビ端子側にあるので、上り雑音の阻止帯域減衰量は第１ハイパスフィルタ５の阻止量のみで決定されることになり、阻止量を変更したい場合はこの第１ハイパスフィルタ５のみ変更すれば良く、変更素子数が少なくて済む。また、分岐出力に設けられた第２ハイパスフィルタ６は優れた阻止特性が要求されないので安価なものとすることができる。
【００１９】
図３は図１の回路ブロック図を更に具体化した分岐装置の回路図の１例であり、その損失特性を図４に示す。図４において、Ｑ１は結合量、Ｑ２は挿入損失を示し、この損失特性から、テレビ端子の上り信号帯域の減衰量は大きく、通信端子の上り信号帯域の減衰量は小さいことが分かる。従って、テレビ端子から侵入する雑音は削除されるし、上り信号は少ない損失でセンターへ伝送できる。
【００２０】
図５は、本発明に係る保安器の１例を示す回路ブロック図であり、基本回路は上記図１と同様であり、同一構成要素には同一の符号を付してある。相違点は入力端子１に入来する異常電圧が加入者宅に設置された端末機器へ流れ込むのを阻止する公知の避雷回路９を入力端子１に設けられている点である。
保安器をこのように構成すれば、保安器を設置するだけで、上り信号にテレビ端子からの雑音が侵入することがなくなり、別途上り雑音阻止手段を設ける必要がなくなる。また、テレビ端子と通信端子を有するので、分配器等を別途設ける必要もない。
【００２１】
更に、上記分岐装置と同様に、通信端子から入来する上り信号は損失が少なく雑音に強い信号を伝送できるし、上り雑音の阻止帯域減衰量は第１ハイパスフィルタの阻止量のみで決定されるので、阻止量を変更したい場合はこの第１ハイパスフィルタのみ変更すればよい。また、分岐出力に設けられた第２ハイパスフィルタは優れた阻止特性が要求されないので安価なものとすることができる。
尚、保安器の場合、テレビ端子２、及び通信端子３の外部導体にはコンデンサを介在させて、入力側の外部導体と直流及び低周波信号に対して絶縁しても良く、そうすることでＣＡＴＶ線路の異常電圧が端末に、或いは端末側で発生した異常電圧がＣＡＴＶ線路に伝わらなくなり、保安性を強化できる。
【００２２】
図６は本発明の分岐装置の他の実施形態を示し、図１の分岐装置との相違点を説明すると、ローパスフィルタ７を第１及び第２の２個のローパスフィルタ７ａ，７ｂの２個とし、その間にトランス１０を介在させた３素子の直列回路に置き換えている。ここで、トランス１０は例えば図７に示すよう構成され、（ａ）は一次巻線と二次巻線をコアに巻き比１：１で巻回したもの、（ｂ）は巻き比ｍ：ｎ（ｍ，ｎは整数）で巻回したトランスを対称配置して従属接続したものを示している。また、この分岐装置の入力端子−信号端子間の損失特性の一例を図８のＡに示している。また、Ｂは図１３に示す従来のトランスを有する分岐装置の損失特性を示している。
【００２３】
図示するように、全周波数帯域に渡り従来のトランスを設けた回路より損失が少なく、且つ５５ＭＨｚ以下の上り帯域の損失が約２ｄＢと極めて小さくなっていることがわかる。そのため通信端子からの上り信号を高いレベルでセンターに送信できるので、雑音に強い信号を送信できる。それでいて、トランスを設けることで信号端子に接続した同軸ケーブルの外部導体に誘起した雑音を除去できる。
【００２４】
尚、図６に示す分岐装置の回路も図５に示すように入力端子に避雷回路を設けることで保安器の回路を形成することができ、そのような保安器を構成すれば別途雑音除去手段を設けることなく流合雑音を削減できるし、テレビ端子と通信端子を有するので分配器等を別途設ける必要がない。
【００２５】
図９、図１０は本発明の分岐装置の更に他の実施形態を示し、図９では図１に示す分岐装置のローパスフィルタ７の通信端子側に通信端子３からの上り信号を所定量減衰させる上り信号減衰器１１を設けた構成となっている。また、図１０では図６に示す分岐装置の第２ローパスフィルタ７ｂの通信端子側に通信端子からの上り信号を所定量減衰させる上り信号減衰器１１を設けた構成となっている。
従来の分岐装置に代えて上り信号減衰量の小さい本分岐装置を接続した場合、ＣＡＴＶ幹線に設けられた増幅器が入力オーバーの状態になることがある。そのような場合、図９、図１０に示すように、信号減衰器を設けて上り信号を所定量減衰させることで、良好な状態で信号を増幅してＣＡＴＶセンターへ伝送させることができる。また、信号を減衰させることは、通信端子から侵入する上り信号帯域の雑音も減衰させることをでもあり、流合雑音の更なる削減に貢献できる。
【００２６】
そして、図９、図１０に示す分岐装置の回路も図５に示すように入力端子に避雷回路を設けることで保安器の回路を形成することができ、そのような保安器を構成すれば別途雑音除去手段を設けることなく流合雑音を削減できるし、テレビ端子と通信端子を有するので分配器等を別途設ける必要がない。更に良好な状態で上り信号をＣＡＴＶセンターに伝送できる。
尚、図９の場合ローパスフィルタ７と信号減衰器１１は逆の配置であっても良い。また、図１０においては信号減衰器１１は、第１ローパスフィルタ７ａの分岐回路４側から第２ローパスフィルタの通信端子３側の何れの位置に配置しても良い。
【００２７】
【発明の効果】
以上詳述したように、請求項１の発明に係る分岐装置によれば、テレビ端子から侵入する上り雑音は第１ハイパスフィルタにより阻止されるので、流合雑音を減少させることができる。そして、上り雑音阻止量は第１ハイパスフィルタの特性により決定されるので、阻止量を大きくしたい場合はこの第１ハイパスフィルタのみ変更すればよいし、分岐出力に設けられた第２ハイパスフィルタは優れた阻止特性が要求されないので簡易な回路構成で良く、変更素子は少なくて済むし安価なものとすることができる。
また、通信端子から入来する上り信号は、ローパスフィルタを減衰することなく通過するので、損失は分岐回路の挿入損失だけであり、損失が少なく雑音に強い信号を伝送できる。
【００２８】
請求項２の発明に係る保安器によれば、上り信号にテレビ端子からの雑音が侵入することがなくなり、別途上り雑音阻止手段を設ける必要がなくなる。また、テレビ端子と通信端子を有するので、分配器等を別途設ける必要もない。
更に、上記分岐装置と同様に、通信端子から入来する上り信号は損失が少なく雑音に強い信号を伝送できるし、上り雑音の阻止帯域減衰量は第１ハイパスフィルタの阻止量のみで決定されるので、阻止量を変更したい場合はこの第１ハイパスフィルタのみ変更すればよく、分岐出力に設けられた第２ハイパスフィルタは優れた阻止特性が要求されないので簡易な回路構成で良く、変更素子は少なくて済むし安価なものとすることができる。
また、通信端子から入来する上り信号は、ローパスフィルタを減衰することなく通過するので、損失は分岐回路の挿入損失だけであり、損失が少なく雑音に強い信号を伝送できる。
【００２９】
請求項３の発明によれば、請求項１の効果に加えて信号端子に接続される同軸ケーブルの外部導体に誘起する雑音も削減でき、それでいて上り信号の損失が少なくて済む。また、請求項４の発明によれば、請求項２の効果に加えて、信号端子に接続される同軸ケーブルの外部導体に誘起する雑音も削減でき、それでいて上り信号の損失が少なくて済む。
【００３０】
また、請求項５乃至８の発明によれば、更に信号減衰器を上り信号伝送路の途中に介在させることで、従来の分岐装置或いは保安器を本発明の分岐装置或いは保安器に置き換えても、上り信号の減衰量が小さくなることによるＣＡＴＶ幹線に設けられた増幅器の入力オーバーを防ぐことができるし、雑音も減衰するので更に流合雑音を減少させることができる。
【図面の簡単な説明】
【図１】本発明に係る分岐装置の実施の形態の１例を示す回路ブロック図である。
【図２】（ａ）〜（ｅ）は図１の分岐装置の各部位の周波数特性の説明図である。
【図３】図１を具体化した分岐装置の回路図である。
【図４】図３の回路の周波数特性を示す図である。
【図５】本発明に係る保安器の実施の形態の１例を示す回路ブロック図である。
【図６】本発明に係る分岐装置の他の例を示す回路ブロック図である。
【図７】図６のトランスの一例を示している。
【図８】図６の結合損失特性図である。
【図９】本発明に係る分岐装置の他の例を示す回路ブロック図である。
【図１０】本発明に係る分岐装置の他の例を示す回路ブロック図である。
【図１１】従来の分岐装置の１例を示す回路ブロック図である。
【図１２】従来の保安器の１例を示す回路ブロック図である。
【図１３】従来の分岐装置の他の例を示す回路ブロック図である。
【符号の説明】
１・・入力端子、２・・テレビ端子（第１出力端子）、３・・通信端子（第２出力端子）、４・・分岐回路、５・・第１ハイパスフィルタ、６・・第２ハイパスフィルタ、７・・ローパスフィルタ、７ａ・・第１ローパスフィルタ、７ｂ・・第２ローパスフィルタ、９・・避雷回路、１０・・トランス、１１・・信号減衰器。
【図１】
0004713009.tif 000002
【図２】
0004713009.tif 000003
【図３】
0004713009.tif 000004
【図４】
0004713009.tif 000005
【図５】
0004713009.tif 000006
【図６】
0004713009.tif 000007
【図７】
0004713009.tif 000008
【図８】
0004713009.tif 000009
【図９】
0004713009.tif 000010
【図１０】
0004713009.tif 000011
【図１１】
0004713009.tif 000012
【図１２】
0004713009.tif 000013
【図１３】
0004713009.tif 000014